(57)【要約】【課題】  腐食を抑制し、耐フレッティング性を向上させることにより、多片リム構造の長寿命化を図る。【解決手段】  ホイールの多片リム構造は、軸方向端部の外周に環状のロックリング溝１５を有するリムベース１０と、タイヤの一方のビード部からの径方向および軸方向の荷重を受けるビードシートリング２０（リング部材）と、ロックリング３０とを備えている。ロックリング３０は、内周に環状の突条３５を有し、この突条３５がロックリング溝１５に嵌ることによりリムベース１０に装着される。ロックリング３０は、ビードシートリング２０からの径方向および軸方向の荷重を受けてビードシートリング２０を係止する。リムベース１０のロック溝１５の内面には逃げ溝１５ａが形成されている。この逃げ溝１５ａには、リムベース１０およびロックリング３０の母材である鉄よりイオン化傾向の大きな亜鉛やアルミニウム等の金属を含む犠牲防食材８０が、埋設されている。【選択図】  図１
2018024264.tif 000002
【特許請求の範囲】
【請求項１】
軸方向端部の外周に環状のロックリング溝を有するリムベースと、
タイヤのビード部からの径方向および軸方向の荷重を受けるリング部材と、
内周に環状の突条を有し、この突条が上記ロックリング溝に嵌ることにより上記リムベースに装着され、上記リング部材からの径方向および軸方向の荷重を受けて上記リング部材を係止するロックリングと、
を備えたホイールの多片リム構造において、
上記リムベースと上記ロックリングの互いに対峙する面の少なくとも一方には、これら対峙する面同士が接触しない非接触領域において、上記リムベースおよび上記ロックリングの母材よりイオン化傾向の大きな金属を含む犠牲防食材が設けられていることを特徴とするホイールの多片リム構造。
【請求項２】
上記リムベースと上記ロックリングの互いに対峙する面の少なくとも一方には、周方向に延びる逃げ溝が形成され、この逃げ溝の内面が上記非接触領域として提供され、この逃げ溝内に上記犠牲防食材が設けられていることを特徴とする請求項１に記載のホイールの多片リム構造。
【請求項３】
上記ロックリング溝の内面のうち軸方向内側の部位から底部にわたる領域の一部に、上記逃げ溝が形成されていることを特徴とする請求項２に記載のホイールの多片リム構造。
【請求項４】
上記ロックリングの外面のうち軸方向内側の部位から頂部にわたる領域の一部に、上記逃げ溝が形成されていることを特徴とする請求項２に記載のホイールの多片リム構造。
【請求項５】
上記ロックリング溝と上記ロックリングとの間には軸方向に遊びがあり、上記ロックリングが最大限軸方向内側に位置した状態でも、上記ロックリング溝の内面のうち軸方向内側の部位と上記ロックリングの外面のうち軸方向内側の部位との間には隙間が形成され、上記ロックリング溝の内面の軸方向内側の部位と上記ロックリングの外面の軸方向内側の部位の少なくともいずれか一方が、上記隙間に臨む上記非接触領域として提供され、この非接触領域に上記犠牲防食材が取り付けられていることを特徴とする請求項１に記載のホイールの多片リム構造。
【請求項６】
上記ロックリング溝の内面の底部と上記ロックリングの外面の頂部との間に隙間が形成され、これらロックリング溝の内面の底部と上記ロックリングの外面の頂部の少なくともいずれか一方が、上記隙間に臨む上記非接触領域として提供され、この非接触領域に上記犠牲防食材が取り付けられていることを特徴とする請求項１に記載のホイールの多片リム構造。
【請求項７】
上記リムベースおよび上記ロックリングの母材が鉄からなり、上記イオン化傾向の大きな金属が亜鉛、アルミニウムまたは亜鉛とアルミニウムの合金を含むことを特徴とする請求項１〜６のいずれかに記載のホイールの多片リム構造。
【請求項８】
上記イオン化傾向の大きな金属を溶射またはメッキすることにより、上記犠牲防食材を形成することを特徴とする請求項１〜７のいずれかに記載のホイールの多片リム構造。
【請求項９】
上記犠牲防食材が樹脂とこの樹脂に含有される上記イオン化傾向の大きな金属を含み、上記非接触領域に塗布されることを特徴とする請求項１〜７のいずれかに記載のホイールの多片リム構造。
【発明の詳細な説明】
【技術分野】
【０００１】
本発明は、鉱山で用いられる大型車両等に装備されるホイールの多片リム構造に関する。
【背景技術】
【０００２】
鉱山で用いられるオフロードタイプの大型車両のホイールでは、大重量のタイヤを装着し易くするため、リム構造が複数のピースによって構成されており、多片リム構造と称されている。
【０００３】
図６に示す公知のリム構造１は、５つのピース、すなわち、リムベース１０とビードシートリング２０（リング部材）とロックリング３０と一対のサイドリング４０，５０とを備えている。なお、本発明において、「軸方向」、「周方向」とはそれぞれ多片リムの軸方向、周方向をいう。又、「軸方向外側」とは多片リムにセットされたタイヤの軸方向の中央位置から軸方向に遠ざかる側をいい、「軸方向内側」とは軸方向に沿って上記したタイヤの中央位置に近づく側をいう。
【０００４】
上記リムベース１０は、３つの短円筒状の部材を、軸方向（幅方向）に順に溶接することにより構成されている。なお、これら短円筒状の部材の各々は、帯状の圧延鋼板を円筒形状に丸めてその両端面を溶接することにより得られる。
上記リムベース１０は、軸方向の一方側にガターバンド部１１を有し、他方側にバックフランジ部１２を有している。
【０００５】
上記ビードシートリング２０は、上記リムベース１０のガターバンド部１１の径方向外側に配置されている。一方のサイドリング４０は、このビードシートリング２０の径方向外側に配置され、ビードシートリング２０の軸方向外側の周縁に形成された環状の起立フランジ部２１に係止されている。他方のサイドリング５０は、リムベース１０のバックフランジ部１２に係止されている。
【０００６】
上記ビードシートリング２０の外周面は幅Ｗのビードシート部２２として提供される。また、リムベース１０においてサイドリング５０に隣接した部位の外周面は、幅Ｗのビードシート部１３として提供される。これらビードシート部２２，１３にタイヤ（図示しない）の一対のビード部が載るようになっている。上記ビードシートリング２０の軸方向外側の縁部の内周には、テーパをなす環状の荷重付与面２３が形成されている。
【０００７】
上記リム構造１にタイヤを装着する場合、サイドリング５０、タイヤ、サイドリング４０、ビードシートリング２０を、この順序で、ガターバンド部１１からバックフランジ部１２に向かって軸方向に移動させることにより、リムベース１０に装着し、最後にロックリング３０をリムベース１０に嵌め込む。
なお、上記ビードシートリング２０の嵌め込みに先立ってガターバンド部１１のシールリング溝１６（後述する）にＯリングからなるシールリング６０を嵌め込む。このシールリング６０は、ビードシートリング２０とガターバンド部１１との間をシールするためのものである。
【０００８】
図７に示すリム構造１’も公知である。このリム構造１’は３つのピース、すなわち、リムベース１０’とリング部材５とロックリング３０とを備えている。このリム構造１’では、リムベース１０’が図６のリム構造１のサイドリング５０とバックフランジ１２に相当するサイドリング部５０’を一体に有している。また、リング部材５は、図６のリム構造１のビードシートリング２０とサイドリング４０に相当するビードシートリング部２０’とサイドリング部４０’を一体に有している。他の構成は図６と同様であるから同番号を付してその詳細な説明を省略する。
【０００９】
さらに、図８に示すダブルタイヤ式の車両に用いられるリム構造１Ａ，１Ｂも公知である。車両に近い内側のタイヤＴａを保持するリム構造１Ａは、図６と同様の構成をなし、車両から遠い外側のタイヤＴｂを保持するリム構造１Ｂでは、リムベース１０”の軸方向の両端部がガターバンド部１１となっており、これらガターバンド部１１の各々にビードシートリング２０、ロックリング３０、サイドリング４０が装着されている。
【００１０】
上記リム構造１，１’，１Ａ，１Ｂにおける、ガターバンド部１１とロックリング３０について、特に図９を参照しながら詳述する。上記ガターバンド部１１の外周面には、ロックリング溝１５と、このロックリング溝１５より軸方向内側に位置するシールリング溝１６が形成されている。ロックリング溝１５の断面の輪郭は凹曲線をなしている。ロックリング溝１５の軸方向内側、すなわちロックリング溝１５とシールリング溝１６との間には、円筒面からなる第１受面１７が形成されている。ロックリング溝１５の軸方向外側、すなわちロックリング溝１５とガターバンド部１１の外側縁との間には、円筒面からなる第２受面１８が形成されている。
【００１１】
上記ロックリング３０は、上記リムベース１０のガターバンド部１１と上記ビードシートリング２０（またはリング部材５）との間に介在されている。このロックリング３０は環状をなすが、1か所で切断されている。ロックリング３０の軸方向内側の縁部の外周には、テーパをなす環状の荷重受面３１が形成されている。
【００１２】
上記ロックリング３０は、その内周の軸方向中間位置に、周方向に連続する突条３５を有し、さらにこの突条３５の軸方向内側に円筒面からなる第1当接面３７を有し、軸方向外側に円筒面からなる第２当接面３８を有している。突条３５の断面の輪郭は凸曲線をなしている。
【００１３】
上記ロックリング３０のガターバンド部１１への装着状態では、上記突条３５は、上記ガターバンド部１１のロックリング溝１５に嵌り、荷重受面３１がビードシートリング２０（またはリング部材５）の荷重付与面２３と面接触し、第１当接面３７がガターバンド部１１の第１受面１７に面接触し、第２当接面３８が第２受面１８に面接触する。
【００１４】
上記タイヤを装着したリム構造１、１’において、タイヤの一方のビード部からビードシートリング２０（またはリング部材５）に径方向の荷重が付与される。さらに同ビード部からサイドリング４０を介してビードシートリング２０（またはリング部材５）に軸方向の荷重が付与される。このビードシートリング２０に付与された径方向荷重、軸方向荷重の殆どは、荷重付与面２３と荷重受面３１を介してロックリング３０に伝達され、このロックリング３０からガターバンド部１１に伝達される。
【００１５】
上記ロックリング３０からガターバンド部１１への荷重伝達経路について詳述する。径方向荷重は、第1当接面３７と第１受面１７の面接触領域Ｒ１と、第２当接面３８と第２受面１８との面接触領域Ｒ２を介して伝達される。軸方向荷重はロックリング３０の突条３５の外面のうち軸方向外側の部位とロックリング溝１５の内面のうち軸方向外側の部位との面接触領域Ｒ３を介して伝達される。
【００１６】
上記面接触領域Ｒ１、Ｒ２、Ｒ３では、車両走行に伴い、ガターバンド部１１とロックリング３０との間で微小往復滑りが生じるとともに繰り返し荷重が付与され、摩耗により減肉が生じる。特に面接触領域Ｒ３ではフレッティング疲労により亀裂１００が生じることが知られている。これらの減肉や亀裂が発生してしまうと走行時に部品が外れ走行不能となる恐れがある。
【００１７】
上記リム構造１、１’、１Ａ、１Ｂでは、腐食による減肉の問題も生じる。以下、詳述する。上記ロックリング３０の突条３５はガターバンド部１１のロックリング溝１５に径方向、軸方向の遊びをもって嵌め込まれるため、ロックリング３０の突条３５の外面とロックリング溝１５の内面との間には隙間が存在する。ロックリング３０はタイヤのビード部からの軸方向外方向の荷重を受けるため、突条３５の外面における軸方向内側の部位から頂部に至る領域と、ロックリング溝１５の内面における軸方向内側の部位から底部に至る領域に隙間７０が形成される。突条３５の外面とロックリング溝１５の内面において、この隙間７０を挟んで対峙する領域を符号Ｒ０で示す。ただし、タイヤ交換時のロックリング３０脱着時やタイヤ圧の抜圧や充填作業時にはロックリング３０が軸方向内側へ一時的に移動するため、領域Ｒ０に隙間７０が無くなりロックリング３０の突条３５はロックリング溝１５の内面に接触する。
【００１８】
ロックリング３０の切断箇所から水がロックリング溝１５に侵入したり、隙間７０に存在する水分が結露することにより、隙間７０に水が溜まる。そのため、領域Ｒ０、Ｒ１、Ｒ２，Ｒ３は腐食環境になり、面接触領域Ｒ１，Ｒ３で腐食減肉が生じ易い。
特に面接触領域Ｒ３では、応力集中が顕著なため腐食と摩耗により上記フレッティング疲労が促進され、亀裂１００の成長が早められる。
【００１９】
そこで、本出願人は特許文献１に開示されているように、ガターバンド部のロックリング溝の内面およびこのロックリング溝に隣接する第１、第２の受面に常乾性塗料の塗膜層を形成し、その上に常乾性潤滑剤の被膜層を形成することにより、多片リム構造に耐フレッティング性、耐腐食性を付与することは提案している。
また、特許文献２に開示されているように、ガターバンド部のロックリング溝の内面及び第１、第２の受面にイオン窒化処理による硬化層を形成することも提案している。
【先行技術文献】
【特許文献】
【００２０】
【特許文献１】特開平１０−２４７０１号公報
【特許文献２】特開２００１−２２５６０４号公報
【発明の概要】
【発明が解決しようとする課題】
【００２１】
特許文献１に示すようにガターバンド部に塗膜層を形成した場合、面接触領域Ｒ１、Ｒ２、Ｒ３で摩耗により塗膜層が剥がれ、面接触領域Ｒ１、Ｒ２、Ｒ３では腐食が進み、特に面接触領域Ｒ３では応力集中が著しいため腐食に伴いフレッティング疲労が促進される。領域Ｒ０についてもタイヤの抜圧時に、ロックリング３０とガターバンド１１が接触し、その際に塗膜層が破壊されてしまう。
特許文献２の硬化層は耐フレッティング性を向上させるものの、腐食を防ぐことはできない。そのため、特に面接触領域Ｒ３において長期にわたりフレッティング疲労を抑制するのは困難である。
【課題を解決するための手段】
【００２２】
本発明は上記課題を解決するためになされたもので、軸方向端部の外周に環状のロックリング溝を有するリムベースと、タイヤのビード部からの径方向および軸方向の荷重を受けるリング部材と、内周に環状の突条を有し、この突条が上記ロックリング溝に嵌ることにより上記リムベースに装着され、上記リング部材からの径方向および軸方向の荷重を受けて上記リング部材を係止するロックリングと、を備えたホイールの多片リム構造において、
上記リムベースと上記ロックリングの互いに対峙する面の少なくとも一方には、これら対峙する面同士が接触しない非接触領域において、上記リムベースおよび上記ロックリングの母材よりイオン化傾向の大きな金属を含む犠牲防食材が設けられていることを特徴とする。
【００２３】
上記構成によれば、犠牲防食材のイオン化傾向の大きな金属でイオン化およびその結果としての腐食が生じるため、リムベースおよびロックリングの母材のイオン化を抑制でき、この母材の腐食を抑制できる。特にロックリング溝の内面における軸方向外側の部位において、腐食によるフレッティング疲労の促進を回避でき、耐フレッティング性を向上させることができる。その結果、リム構造の長寿命化を図ることができる。
【００２４】
好ましくは、上記リムベースと上記ロックリングの互いに対峙する面の少なくとも一方には、周方向に延びる逃げ溝が形成され、この逃げ溝の内面が上記非接触部として提供され、この逃げ溝内に上記犠牲防食材が設けられている。
この構成によれば、ロックリングは車両走行中や抜圧時であっても逃げ溝の内面には全く接触しないので、上記犠牲防食材にはロックリングが当たることによる剥離等が生じず、犠牲防食部材を長期にわたって保持することができる。
【００２５】
好ましくは、上記ロックリング溝の内面のうち軸方向内側の部位から底部にわたる領域の一部に、上記逃げ溝が形成されている。
この構成によれば、水が溜まり易いロックリング溝の内面とロックリングの外面との間の隙間に犠牲防食材を露出させることができ、確実にロックリングとリムベースの面接触領域の腐食を抑制することができる。
【００２６】
好ましくは、上記ロックリングの外面のうち軸方向内側の部位から頂部にわたる領域の一部に、上記逃げ溝が形成されている。
この構成でも水が溜まり易いロックリング溝の内面とロックリングの外面との間の隙間に犠牲防食材を露出させることができ、確実にロックリングとリムベースの面接触領域の腐食を抑制することができる。
【００２７】
他の態様では、上記ロックリング溝と上記ロックリングとの間には軸方向に遊びがあり、上記ロックリングが最大限軸方向内側に位置した状態でも、上記ロックリング溝の内面のうち軸方向内側の部位と上記ロックリングの外面のうち軸方向内側の部位との間には隙間が形成され、上記ロックリング溝の内面の軸方向内側の部位と上記ロックリングの外面の軸方向内側の部位の少なくともいずれか一方が、上記隙間に臨む上記非接触領域として提供され、この非接触領域に上記犠牲防食材が取り付けられている。
この構成によれば、逃げ溝を形成しなくても、走行中のロックリングの軸方向振れや抜圧時の軸方向内側への移動に起因した犠牲防食材の剥離を防止できる。また、水が溜まり易いロックリング溝の内面とロックリングの外面との間の隙間に犠牲防食材を露出させることができ、確実にロックリングとリムベースの面接触領域の腐食を抑制することができる。
なお、この構成は、ロックリングの突条の外面形状とロックリング溝の内面形状の不一致により得られる。
【００２８】
さらに他の態様では、上記ロックリング溝の内面の底部と上記ロックリングの外面の頂部との間に隙間が形成され、これらロックリング溝の内面の底部と上記ロックリングの外面の頂部の少なくともいずれか一方が、上記隙間に臨む上記非接触領域として提供され、この非接触領域に上記犠牲防食材が取り付けられている。
この構成によれば、逃げ溝を形成しなくても、走行中のロックリングの軸方向振れや抜圧時の軸方向内側への移動に起因した犠牲防食材の剥離を防止できる。また、水が溜まり易いロックリング溝の内面とロックリングの外面との間の隙間に犠牲防食材を露出させることができ、確実にロックリングとリムベースの面接触領域の腐食を抑制することができる。
【００２９】
より具体的な態様は下記の通りである。
上記リムベースおよび上記ロックリングの母材が鉄からなり、上記イオン化傾向の大きな金属が亜鉛、アルミニウムまたは亜鉛とアルミニウムの合金を含む。
上記イオン化傾向の大きな金属を溶射またはメッキすることにより、上記犠牲防食材を形成する。
上記犠牲防食材が樹脂とこの樹脂に含有される上記イオン化傾向の大きな金属を含み、上記非接触領域に塗布される。
【発明の効果】
【００３０】
本発明によれば、ホイールの多片リム構造において、腐食を抑制でき、耐フレッティング性を向上させることができる。
【図面の簡単な説明】
【００３１】
【図１】（Ａ）〜（Ｃ）は、本発明に係る多片リム構造において、ガターバンド部のロックリング溝の内面に逃げ溝と犠牲防食材を設けた、それぞれ異なる実施形態を示す要部拡大断面図である。
【図２】（Ａ）〜（Ｃ）は、本発明に係る多片リム構造において、ロックリングの突条の外面に逃げ溝と犠牲防食材を設けた、それぞれ異なる実施形態を示す要部拡大断面図である。
【図３】逃げ溝を形成せずにロックリング溝の内面に犠牲防食材を設けた実施形態を示す要部拡大断面図であり、（Ａ）はロックリングが軸方向外側に最大限移動した通常状態を示し、（Ｂ）はロックリングが軸方向内側に最大限移動した抜圧時の状態を示す。
【図４】逃げ溝を形成せずにロックリングの外面に犠牲防食材を設けた実施形態を示す要部拡大断面図であり、（Ａ）はロックリングが軸方向外側に最大限移動した通常状態を示し、（Ｂ）はロックリングが軸方向内側に最大限移動した抜圧時の状態を示す。
【図５】（Ａ）はロックリングにおいて、突条に隣接する当接面近傍に犠牲防食材を設けた実施形態を示し、（Ｂ）はガターバンド部においてロックリング溝に隣接する受面近傍に犠牲防食材を設けた実施形態を示す。
【図６】公知の５ピースからなる多片リム構造の概略断面図である。
【図７】公知の３ピースからなる多片リム構造の概略断面図である。
【図８】ダブルタイヤ式の車両に装備される公知の多片リム構造の概略断面図である。
【図９】公知の多片リム構造の要部の拡大断面図である。
【発明を実施するための最良の形態】
【００３２】
以下、本発明の実施形態について図１〜図３を参照しながら説明する。本発明に係る多片リム構造の基本構成は、図４、図５に示すリム構造１，１’と同様であるから、その詳細な説明を省略する。以下、要部のみを説明する。
【００３３】
図１（Ａ）に示す実施形態では、ガターバンド部１１のロックリング溝１５の内面において、軸方向内側の下部に周方向に延びる環状の逃げ溝１５ａが形成されている。この逃げ溝１５ａの内面が、非接触領域として提供される。この逃げ溝１５ａに、リムベース１０とロックリング３０の母材である鉄よりイオン化傾向の大きな亜鉛、アルミ、または亜鉛とアルミを５０重量％ずつ含む合金からなる犠牲防食材８０が、溶射により埋設されている。逃げ溝１５ａは、ガターバンド部１１に対応する帯状鋼板を圧延した後に切削加工するのが好ましい。
【００３４】
上記構成によれば、隙間７０に溜まった水に接する犠牲防食材８０がイオン化し酸化されるため、リムベース１０およびロックリング３０の母材である鉄のイオン化が抑制される。その結果、特にこの隙間７０に隣接する面接触領域Ｒ１，Ｒ３での腐食減肉を抑えることができる。さらに、面接触領域Ｒ３において、腐食によりフレッティング疲労が促進されるのを回避でき、亀裂による破損を長期にわたって回避できる。
【００３５】
車両走行中にはロックリング３０が軸方向に大きく振動して、ロック溝１５の内面のうち軸方向内側の部位に近づくこともある。また抜圧時にロックリング３０が軸方向内側に移動することもある。しかし、上記犠牲防食材８０は逃げ溝１５ａに収容されているため、ロックリング３０による破損を確実に回避できる。
【００３６】
図１（Ｂ）に示す実施形態では、逃げ溝１５ａが図１（Ａ）よりも底部から離れて、第1受面Ｒ１の近傍に形成されている。他は図１（Ａ）と同様であるので、説明を省略する。
図１（Ｃ）に示す実施形態では、ロックリング溝１５の内面の底部に逃げ溝１５ａが形成され、ここに犠牲防食金属８０が埋設されている。他は図１（Ａ）と同様であるので、説明を省略する。
【００３７】
図２（Ａ）に示す実施形態では、ロックリング３０の突条３５の外面のうち、軸方向内側の面領域に逃げ溝３５ａが形成され、この逃げ溝３５ａに犠牲防食材８０が埋設されている。逃げ溝３５ａの内面が非接触領域として提供される。犠牲防食材８０は隙間７０に臨んでいる。
【００３８】
図２（Ｂ）に示す実施形態では、逃げ溝３５ａが図２（Ａ）よりも突条３５の頂部から離れて突条３５の裾部に形成されている。他は図２（Ａ）と同様であるので、説明を省略する。
図２（Ｃ）に示す実施形態では、ロックリング３０の突条３５の外面のうち、頂部（ロックリング溝１５の内面の底部に対峙する部位）に逃げ溝３５ａが形成され、この逃げ溝３５ａに犠牲防食材８０が埋設されている。他は図２（Ａ）と同様であるので、説明を省略する。
【００３９】
図３に示す実施形態では、ロックリング溝１５の内面に逃げ溝が形成されていない。ロックリング溝１５の内面の軸方向外側の部位とロックリング３０の突条３５の外面の軸方向外側の部位は面形状が一致しており、接触領域Ｒ３を確保しているが、ロックリング溝１５の内面の軸方向内側の部位と突条３５の外面の軸方向内側の部位は面形状が一致していない。
【００４０】
ロックリング３０は通常状態では図３（Ａ）に示すように軸方向外側に位置しているが、抜圧時等には図３（Ｂ）に示すように軸方向内側に移動することがある。しかし、最大限軸方向内側に移動しても、ロックリング溝１５の内面の軸方向内側の部位とロックリング３０の外面の軸方向内側の部位との間、およびロックリング溝１５の内面の軸方向内側の部位とロックリング３０の外面の頂部との間には隙間７０が形成される。したがって、この領域が隙間７０を介して対峙する面が非接触領域Ｒ０’として残る。
【００４１】
図３では、この隙間７０の一部または全部を埋めるようにして、ロックリング溝１５の内面の非接触領域Ｒ０’に、上記非犠牲防食材８０が溶射等により設けられている。
図３の実施形態において、ロックリング溝１５の内面の非接触領域Ｒ０’のうち、軸方向内側の部位だけに犠牲防食材８０を設けてもよく、底部だけに設けてもよい。
【００４２】
図４に示す実施形態では、ロックリング溝１５とロックリング３０の突条３５の形状が図４の実施形態と同じである。この実施形態では、突条３５の外面の非接触領域Ｒ０’に上記隙間７０の一部または全部を埋めるようにして犠牲防食材８０が設けられている。犠牲防食材８０は、突条３５の外面の軸方向内側の部位だけ、または頂部だけに設けてもよい。
【００４３】
図1、図２に示す実施形態において、隙間７０を介して対峙するロックリング溝１５の内面または突条３５の外面の全域に犠牲防食材を設けてもよい。この犠牲防食材の一部は抜圧時にロックリング３５の軸方向内側への移動により剥離する可能性もあるが、短期的には腐食抑制効果を発揮することができる。
【００４４】
図５（Ａ）では、ロックリング３５の第１当接面３７に逃げ溝３７ａが形成され、この逃げ溝３７ａに犠牲防食材８０が埋設されている。逃げ溝３７ａの内面が非接触領域として提供される。
図５（Ｂ）では、ガターバンド部１１の第１受面１７に逃げ溝１７ａが形成され、この逃げ溝１７ａに犠牲防食材８０が埋設されている。逃げ溝１７ａの内面が非接触領域として提供される。
【００４５】
本発明態様は上記実施形態に制約されず、種々の態様を採用可能である。
犠牲防食材をメッキにより形成してもよい。
犠牲防食材を、亜鉛、アルミまたは亜鉛とアルミの合金からなる棒、ワイヤ、帯材等により構成し、逃げ溝に埋め込んでもよい。
犠牲防食材を上記金属を樹脂に含有させることにより構成し、逃げ溝に塗り込んだり、非接触領域に塗布してもよい。この樹脂を含む犠牲防食材を用いれば、タイヤ交換時や、メンテナンスのためのタイヤ脱着時に、簡単に多片リム構造に塗ることができる。
犠牲防食材を設けるとともに、高周波焼き入れ、イオン窒化処理等によりロックリング溝の内面に硬化層を形成してもよい。
【産業上の利用可能性】
【００４６】
本発明は、大型車両のホイールの多片リム構造に適用することができる。
【符号の説明】
【００４７】
１、１’、１Ａ、１Ｂ  多片リム構造
５  リング部材
１０  リムベース
１５  ロックリング溝
１５ａ、１７ａ  逃げ溝
２０  ビードシートリング（リング部材）
３０  ロックリング
３５  突条
３５ａ、３７ａ  逃げ溝
７０  隙間
８０  犠牲防食材
Ｒ０’  非接触領域
【図１】
2018024264.tif 000003
【図２】
2018024264.tif 000004
【図３】
2018024264.tif 000005
【図４】
2018024264.tif 000006
【図５】
2018024264.tif 000007
【図６】
2018024264.tif 000008
【図７】
2018024264.tif 000009
【図８】
2018024264.tif 000010
【図９】
2018024264.tif 000011